(57)【特許請求の範囲】
【請求項１】
サーバと情報処理装置とがネットワークを介して接続されたコンテンツ推薦システムであって、
前記サーバは、
社会的な興味度に基づいてドキュメントを分析するドキュメント分析手段と、
前記ドキュメント分析手段によるドキュメントの分析結果に応じて、該ドキュメントに関連する複数の社会興味コンテンツを該ドキュメントに付加するコンテンツ付加手段と、
前記複数の社会興味コンテンツが付加されたドキュメントを前記情報処理装置に送信するドキュメント送信手段と、を含み、
前記情報処理装置は、
前記サーバから前記複数の社会興味コンテンツが付加されたドキュメントを受信するドキュメント受信手段と、
前記ドキュメント受信手段により受信したドキュメントと、該ドキュメントに付加された前記複数の社会興味コンテンツであって社会的な興味度の順で並べられた社会興味コンテンツを表示する表示手段と、
前記表示手段により社会的な興味度の順で表示された前記複数の社会興味コンテンツの表示順を個人的な興味度の高いものから順に入れ替えるコンテンツ入替手段と、
ユーザが所望するコンテンツに関連するワードの入力を受け付ける入力受付手段と、
を含み、
前記表示手段は、前記コンテンツ入替手段により表示順を入れ替えられた前記複数の社会興味コンテンツのうち、前記入力受付手段により受け付けられたワードに関連する前記社会興味コンテンツを優先的に表示することを特徴とするコンテンツ推薦システム。
【請求項２】
前記ドキュメント分析手段は、前記社会的な興味度を、ドキュメントにおける出現確率が高いタームに基づいて判定することを特徴とする請求項１に記載のコンテンツ推薦システム。
【請求項３】
サーバと情報処理装置とがネットワークを介して接続されたコンテンツ推薦システムであって、
前記サーバは、
社会的な興味度に基づいてドキュメントを分析するドキュメント分析手段と、
前記ドキュメント分析手段によるドキュメントの分析結果に応じて、該ドキュメントに関連する複数の社会興味コンテンツを該ドキュメントに付加するコンテンツ付加手段と、
前記複数の社会興味コンテンツが付加されたドキュメントを前記情報処理装置に送信するドキュメント送信手段と、を含み、
前記情報処理装置は、
前記サーバから前記複数の社会興味コンテンツが付加されたドキュメントを受信するドキュメント受信手段と、
前記ドキュメント受信手段により受信したドキュメントと、該ドキュメントに付加された前記複数の社会興味コンテンツであって社会的な興味度の順で並べられた社会興味コンテンツを表示する表示手段と、
前記表示手段により社会的な興味度の順で表示された前記複数の社会興味コンテンツの表示順を個人的な興味度に基づいて入れ替えるコンテンツ入替手段と、
個人的な興味度に基づいた個人興味コンテンツを収集するコンテンツ収集手段と、
を含み、
前記コンテンツ入替手段は、前記表示手段により表示された前記複数の社会興味コンテンツのうち何れか１つ以上を前記コンテンツ収集手段により収集された個人興味コンテンツと入れ替えることを特徴とするコンテンツ推薦システム。
【請求項４】
前記コンテンツ入替手段は、前記コンテンツ収集手段により個人興味コンテンツが収集された場合、前記社会興味コンテンツを前記コンテンツ収集手段により収集された個人興味コンテンツと入れ替えることを特徴とする請求項３に記載のコンテンツ推薦システム。
【請求項５】
サーバとネットワークを介して接続された情報処理装置であって、
複数の社会興味コンテンツが付加されたドキュメントを前記サーバから受信するドキュメント受信手段と、
前記ドキュメント受信手段により受信したドキュメントと、該ドキュメントに付加された前記複数の社会興味コンテンツであって社会的な興味度の順で並べられた社会興味コンテンツを表示する表示手段と、
前記表示手段により社会的な興味度の順で表示された前記複数の社会興味コンテンツの表示順を個人的な興味度の高いものから順に入れ替えるコンテンツ入替手段と、
ユーザが所望するコンテンツに関連するワードの入力を受け付ける入力受付手段と、
を備え、
前記表示手段は、前記コンテンツ入替手段により表示順を入れ替えられた前記複数の社会興味コンテンツのうち、前記入力受付手段により受け付けられたワードに関連する前記社会興味コンテンツを優先的に表示することを特徴とする情報処理装置。
【請求項６】
サーバとネットワークを介して接続された情報処理装置であって、
複数の社会興味コンテンツが付加されたドキュメントを前記サーバから受信するドキュメント受信手段と、
前記ドキュメント受信手段により受信したドキュメントと、該ドキュメントに付加された前記複数の社会興味コンテンツであって社会的な興味度の順で並べられた社会興味コンテンツを表示する表示手段と、
前記表示手段により社会的な興味度の順で表示された前記複数の社会興味コンテンツの表示順を個人的な興味度に基づいて入れ替えるコンテンツ入替手段と、
個人的な興味度に基づいた個人興味コンテンツを収集するコンテンツ収集手段と、
を備え、
前記コンテンツ入替手段は、前記表示手段により表示された前記複数の社会興味コンテンツのうち何れか１つ以上を前記コンテンツ収集手段により収集された個人興味コンテンツと入れ替えることを特徴とする情報処理装置。
【請求項７】
サーバとネットワークを介して接続された装置の情報処理方法であって、
コンピュータが、複数の社会興味コンテンツが付加されたドキュメントを前記サーバから受信して記憶部に記憶する受信ステップと、
コンピュータが、前記記憶部に記憶されたドキュメントと、該ドキュメントに付加された前記複数の社会興味コンテンツであって社会的な興味度の順で並べられた社会興味コンテンツを表示部に表示する表示ステップと、
コンピュータが、前記表示部に社会的な興味度の順で表示された前記複数の社会興味コンテンツの表示順を個人的な興味度の高いものから順に入れ替える入替ステップと、
コンピュータが、ユーザが所望するコンテンツに関連するワードの入力を受け付ける入力受付ステップと、
を含み、
前記表示ステップは、前記入替ステップにより表示順を入れ替えられた前記複数の社会興味コンテンツのうち、前記入力受付ステップにより受け付けられたワードに関連する前記社会興味コンテンツを優先的に表示することを特徴とする情報処理方法。
【請求項８】
サーバとネットワークを介して接続された装置の情報処理方法であって、
コンピュータが、複数の社会興味コンテンツが付加されたドキュメントを前記サーバから受信して記憶部に記憶する受信ステップと、
コンピュータが、前記記憶部に記憶されたドキュメントと、該ドキュメントに付加された前記複数の社会興味コンテンツであって社会的な興味度の順で並べられた社会興味コンテンツを表示部に表示する表示ステップと、
コンピュータが、前記表示部に社会的な興味度の順で表示された前記複数の社会興味コンテンツの表示順を個人的な興味度に基づいて入れ替える入替ステップと、
個人的な興味度に基づいた個人興味コンテンツを収集する収集ステップと、
を含み、
前記入替ステップは、前記表示ステップにより表示された前記複数の社会興味コンテンツのうち何れか１つ以上を前記収集ステップにより収集された個人興味コンテンツと入れ替えることを特徴とする情報処理方法。
【請求項９】
サーバとネットワークを介して接続された装置のプログラムであって、
コンピュータに、
複数の社会興味コンテンツが付加されたドキュメントを前記サーバから受信して記憶部に記憶する受信処理と、
前記記憶部に記憶されたドキュメントと、該ドキュメントに付加された前記複数の社会興味コンテンツであって社会的な興味度の順で並べられた社会興味コンテンツを表示部に表示する表示処理と、
前記表示部に社会的な興味度の順で表示された前記複数の社会興味コンテンツの表示順を個人的な興味度の高いものから順に入れ替える入替処理と、
ユーザが所望するコンテンツに関連するワードの入力を受け付ける入力受付処理と、
を実行させ、
前記表示処理で、前記入替処理により表示順を入れ替えられた前記複数の社会興味コンテンツのうち、前記入力受付処理により受け付けられたワードに関連する前記社会興味コンテンツを優先的に表示させることを特徴とするプログラム。
【請求項１０】
サーバとネットワークを介して接続された装置のプログラムであって、
コンピュータに、
複数の社会興味コンテンツが付加されたドキュメントを前記サーバから受信して記憶部に記憶する受信処理と、
前記記憶部に記憶されたドキュメントと、該ドキュメントに付加された前記複数の社会興味コンテンツであって社会的な興味度の順で並べられた社会興味コンテンツを表示部に表示する表示処理と、
前記表示部に社会的な興味度の順で表示された前記複数の社会興味コンテンツの表示順を個人的な興味度に基づいて入れ替える入替処理と、
個人的な興味度に基づいた個人興味コンテンツを収集する収集処理と、
を実行させ、
前記入替処理で、前記表示処理により表示された前記複数の社会興味コンテンツのうち何れか１つ以上を前記収集処理により収集された個人興味コンテンツと入れ替えさせることを特徴とするプログラム。
【発明の詳細な説明】
【技術分野】
【０００１】
本発明は、コンテンツ推薦システム、情報処理装置、情報処理方法、及び、プログラムに関する。
【背景技術】
【０００２】
近年、インターネット等を介して取得したドキュメントに広告等のコンテンツが付加された状態で提供され、付加されたコンテンツを取得したドキュメントと共に表示するシステムが既に知られている。
【０００３】
上記のようなシステムに関連する技術が例えば特許文献１に開示されている。特許文献１では、ユーザの嗜好に応じてサーバで推薦されたＷｅｂサイトと共に当該Ｗｅｂサイトに関連する広告等のコンテンツをクライアント装置に提供するシステムが開示されている。
【先行技術文献】
【特許文献】
【０００４】
【特許文献１】特開２０１５−１０８９７０号公報
【発明の概要】
【発明が解決しようとする課題】
【０００５】
しかし、例えば特許文献１に開示されたような従来の技術は、サーバにおいてユーザの嗜好に応じて推薦されるＷｅｂサイトに関連するコンテンツであっても、クライアントが取得した時点ではそのコンテンツは当該クライアントのユーザの嗜好に必ずしも合致しているとはいえない。これは、ユーザの嗜好は変化するものであることによるものである。
【０００６】
そのため、ユーザの嗜好の変化に追随したコンテンツを提供するためには、クライアント装置側で別途ユーザ個人の嗜好を分析して、この分析結果に基づいたコンテンツを取得する必要がある。しかし、このような処理はクライアント装置に負荷をかけるとともに、コンテンツの提供までに一定の処理時間を要する。また最近では、Ｗｅｂサイトが閲覧される際、ユーザは一つのＷｅｂサイトを見続けることは少ない。そうなると、Ｗｅｂサイトと共に広告等のコンテンツを表示させる場合、ユーザの嗜好に応じたコンテンツを的確なタイミングで表示してユーザに閲覧してもらうことが肝要である。
【０００７】
本発明は、このような実情に鑑みてなされたものであって、ユーザの嗜好に応じたコンテンツを的確なタイミングで表示することを目的とする。
【課題を解決するための手段】
【０００８】
上記の課題を解決するため、本発明のコンテンツ推薦システムは、サーバと情報処理装置とがネットワークを介して接続されたコンテンツ推薦システムであって、サーバは、社会的な興味度に基づいてドキュメントを分析するドキュメント分析手段と、ドキュメント分析手段によるドキュメントの分析結果に応じて、該ドキュメントに関連する社会興味コンテンツを該ドキュメントに付加するコンテンツ付加手段と、社会興味コンテンツが付加されたドキュメントを情報処理装置に送信するドキュメント送信手段と、を含み、情報処理装置は、サーバから社会興味コンテンツが付加されたドキュメントを受信するドキュメント受信手段と、ドキュメント受信手段により受信したドキュメントと、該ドキュメントに付加された社会興味コンテンツを社会的な興味度の順で表示する表示手段と、表示手段により社会的な興味度の順で表示された社会興味コンテンツの表示順を個人的な興味度に基づいて入れ替えるコンテンツ入替手段と、を含むことを特徴とする。
【０００９】
また、上記の課題を解決するため、本発明の情報処理装置は、サーバとネットワークを介して接続された情報処理装置であって、社会興味コンテンツが付加されたドキュメントをサーバから受信するドキュメント受信手段と、ドキュメント受信手段により受信したドキュメントと、該ドキュメントに付加された社会興味コンテンツを社会的な興味度の順で表示する表示手段と、表示手段により社会的な興味度の順で表示された社会興味コンテンツの表示順を個人的な興味度に基づいて入れ替えるコンテンツ入替手段と、を備えることを特徴とする。
【００１０】
また、上記の課題を解決するため、本発明の情報処理方法は、サーバとネットワークを介して接続された装置の情報処理方法であって、コンピュータが、社会興味コンテンツが付加されたドキュメントをサーバから受信して記憶部に記憶するステップと、コンピュータが、記憶部に記憶されたドキュメントと、該ドキュメントに付加された社会興味コンテンツを社会的な興味度の順で表示部に表示するステップと、コンピュータが、表示部に社会的な興味度の順で表示された社会興味コンテンツの表示順を個人的な興味度に基づいて入れ替えるステップと、を備えることを特徴とする。
【００１１】
また、上記の課題を解決するため、本発明のプログラムは、サーバとネットワークを介して接続された装置のプログラムであって、社会興味コンテンツが付加されたドキュメントをサーバから受信して記憶部に記憶する処理と、記憶部に記憶されたドキュメントと、該ドキュメントに付加された社会興味コンテンツを社会的な興味度の順で表示部に表示する処理と、表示部に社会的な興味度の順で表示された社会興味コンテンツの表示順を個人的な興味度に基づいて入れ替える処理と、をコンピュータに実行させることを特徴とする。
【発明の効果】
【００１２】
本発明によれば、ユーザの嗜好に応じたコンテンツを的確なタイミングで表示することができる。
【図面の簡単な説明】
【００１３】
【図１】本発明の実施形態におけるコンテンツ推薦システムの概略構成図である。
【図２】本発明の実施形態におけるコンテンツ推薦装置システムを構成する装置のハードウェア構成図である。
【図３】本発明の実施形態におけるコンテンツ推薦システムの機能ブロック図である。
【図４】本発明の実施形態における情報処理装置において表示される広告つきドキュメントの画面表示例である。
【図５】本発明の実施形態における広告の入替処理例を示す模式図である。
【図６】本発明の実施形態におけるコンテンツ推薦処理手順を示すフローチャートである。
【図７】本発明の実施形態における他のコンテンツ推薦処理手順を示すフローチャートである。
【発明を実施するための形態】
【００１４】
本発明の実施形態のコンテンツ推薦システムについて図面を用いて以下説明する。なお、各図中、同一又は相当する部分には同一の符号を付しており、その重複説明は適宜に簡略化乃至省略する。また、以下に記載する実施形態は本発明の最良の形態であって、本発明に係る特許請求の範囲を限定するものではない。
【００１５】
なお、本実施形態における「コンテンツ」として、以下ではＷｅｂサイトに付加される広告コンテンツを例として説明する。他方、本発明におけるコンテンツは広告コンテンツに限定されない。本発明におけるコンテンツには、コンテンツという語句そのものが有する通常の意味に加え、例えば、映像、音楽、文章、又はそれらの組合せ等の、メディアが記録又は伝送し、人間が鑑賞するひとまとまりの情報も含まれる。実例でいえば例えばインターネットで配信されるアプリケーションやダウンロード可能な映像コンテンツ若しくは音楽コンテンツ等も含まれる。
【００１６】
＜本実施形態におけるコンテンツ推薦システムのシステム構成について＞
本実施形態におけるコンテンツ推薦システムのシステム構成について図１を参照して説明する。本実施形態におけるコンテンツ推薦システム１は、サーバ１０とクライアントである情報処理装置２０とがネットワーク３０を介して接続されて構成されている。また、サーバ１０は、ネットワーク３４を介してドキュメントサーバ４０と接続され、ネットワーク３５を介してコンテンツサーバ５０と接続されている。ネットワークの形態としては、ＬＡＮ（Ｌｏｃａｌ  Ａｒｅａ  Ｎｅｔｗｏｒｋ）でもＷＡＮ（Ｗｉｄｅ  Ａｒｅａ  Ｎｅｔｗｏｒｋ）でもよく、また、有線によって接続されるものであっても、無線によって接続されるものであってもよい。
【００１７】
サーバ１０は、例えばＬＡＮで接続された宅内サーバであっても、ＷＡＮで接続された外部サーバであってもよい。なお、本実施形態においては、サーバ１０を実現するハードウェアの総称として「サーバ」の用語を使用する。サーバ１０は、例えばＰＣでもストレージでもサーバ専用機でもよい。また、サーバ１０は、ネットワーク３４を介して例えばＲＳＳサーバ等のドキュメントサーバ４０が配信する記事等のドキュメントをクロールし、当該ドキュメントから特徴語を検出する。また、サーバ１０は、ネットワーク３５を介してコンテンツサーバ５０を配信する広告コンテンツを上記特徴語を用いて検索する。例えば、サーバ１０は、ドキュメントから検出した特徴語が広告コンテンツにおけるテキストに含まれているか否か等の判定手法によって、ドキュメントに関連または類似する広告コンテンツを取得する。このようにして取得する、ドキュメントと関連または類似する広告コンテンツを本実施形態では「社会興味コンテンツ」とする。社会興味コンテンツについては後述する。
【００１８】
情報処理装置１０は、後述する本実施形態による各処理を実行可能な例えばＰＣ（Ｐｅｒｓｏｎａｌ  Ｃｏｍｐｕｔｅｒ）等である。また、情報処理装置としては、例えばスマートフォンやタブレットＰＣ等の携帯情報端末であっても、情報処理機能、通信機能、情報表示機能を有するその他の装置であってもよい。
【００１９】
＜本実施形態におけるコンテンツ推薦システムを構成する装置のハードウェア構成について＞
次に、本実施形態におけるコンテンツ推薦システム１を構成する装置のハードウェア構成について図２を参照して説明する。コンテンツ推薦システム１を構成する装置は、上述のサーバ１０及び情報処理装置２０である。なお、図２には、サーバ１０、情報処理装置２０において、ハードウェア構成として共通する基本的なハードウェアを示している。よって、以下の説明では両者に共通するハードウェア構成についてまとめて説明する。
【００２０】
サーバ１０、情報処理装置２０は、ハードウェア構成として、ＣＰＵ１１と、ＲＡＭ１２と、ＲＯＭ１３と、ＮＷ  Ｉ／Ｆ１４と、ＨＤＤ１５と、入力部１６と、出力部１７を備えている。なお、これらは、サーバ１０、情報処理装置２０が後述する機能（処理）を実行するための構成の一例を示したものであり、これら以外のハードウェアを排除するものではない。また、これらの構成を全て備える必要もない。例えば、ＨＤＤ１５は必須の構成でなくてもよい。
【００２１】
ＣＰＵ１１は、サーバ１０、情報処理装置２０における後述する各処理を実現するためのメイン制御部である。ＣＰＵ１１は、ＲＯＭ１３に格納された各処理を規定する処理プログラムがＲＡＭ１２に読み込まれたものを実行することで、サーバ１０、情報処理装置２０における各機能を実現する。
【００２２】
ＲＡＭ１２は、上記のようにＣＰＵ１１のワークメモリとして機能する記憶部である。ＲＯＭ１３は、上記のように各処理を規定した処理プログラムやその他サーバ１０や情報処理装置２０の制御に要する各種パラメータ等を記憶する記憶部である。
【００２３】
ＮＷ  Ｉ／Ｆ１４は、図１に示したネットワーク３０を介してサーバ１０と情報処理装置２０とが相互に接続するためのネットワークインタフェースである。ＨＤＤ１５は、例えばドキュメントやコンテンツを記憶する大容量記憶部である。
【００２４】
入力部１６は、例えばキーボードやマウス等の入力デバイスである。また、後述する表示部に重畳されたタッチパネルのようにユーザのタッチ操作を受け付けるデバイスであってもよい。さらに、入力部１６には、映像を撮影することで画像を取得するカメラや、音声入力を受け付けるマイクが含まれてもよい。
【００２５】
出力部１７は、例えばディスプレイ等の表示部である。また、出力部１７には、音声を出力するスピーカが含まれてもよい。
【００２６】
また、上記以外に、ユーザの近接を検知して、ユーザＩＤ等をユーザが所持する無線通信端末から取得する近距離無線通信デバイスを備えてもよい。
【００２７】
＜本実施形態におけるコンテンツ推薦システムの機能ブロックについて＞
次に、本実施形態におけるコンテンツ推薦システム１の機能ブロックについて図３を参照して説明する。まず、サーバ１０は、ドキュメント分析部１０１、コンテンツ付加部１０２、ドキュメント送信部１０３を備える。
【００２８】
ドキュメント分析部１０１は、社会的な興味度に基づいてドキュメントを分析するドキュメント分析手段である。ドキュメント分析部１０１は、図２に示したＣＰＵ１１、ＲＡＭ１２、ＲＯＭ１３によってその機能が実現される。「社会的な興味度」とは、世間一般において話題となっている事象に対する興味の度合いをいい、ドキュメント分析部１０１は、例えばドキュメントに出現する単語（以下「ターム」ともいう。）の出現確率の大小に基づいて社会的な興味度を分析する。その場合、ドキュメント分析部１０１は、出現確率が高いタームやそのタームが含まれるカテゴリに対する社会的な興味度は高いと判定する。他方、ドキュメント分析部１０１は、出現確率が低いタームやそのタームが含まれるカテゴリに対する社会的な興味度は低いと判定する。なお、ドキュメントからタームを抽出する際は、例えば形態素解析等を用いればよい。
【００２９】
コンテンツ付加部１０２は、ドキュメント分析部１０１によるドキュメントの分析結果に応じて、該ドキュメントに関連する社会興味コンテンツを該ドキュメントに付加するコンテンツ付加手段である。なお、ドキュメントに付加する社会興味コンテンツについては、予めネットワーク３０を介して外部サーバから取得しておく等しておけばよい。コンテンツ付加部１０２は、図２に示したＣＰＵ１１、ＲＡＭ１２、ＲＯＭ１３によってその機能が実現される。「社会興味コンテンツ」は、例えば世間一般において話題となっている事象に関連する商品等を紹介する広告コンテンツ等ということもできる。本実施形態では、サーバ１０は、コンテンツサーバ５０から社会的な興味度が高い順に例えば１０件の社会興味コンテンツを取得しておき、コンテンツ付加部１０２は、その内の３つの社会興味コンテンツを上記ドキュメントに付加するものとして説明する。
【００３０】
ドキュメント送信部１０３は、社会興味コンテンツが付加されたドキュメントを情報処理装置２０に送信するドキュメント送信手段であり、図２に示したＣＰＵ１１、ＮＷ  Ｉ／Ｆ１４によってその機能が実現される。
【００３１】
次に、情報処理装置２０は、機能ブロックとして、ドキュメント受信部２０１、表示部２０２、コンテンツ入替部２０３を備える。
【００３２】
ドキュメント受信部２０１は、サーバ１０から社会興味コンテンツが付加されたドキュメントを受信するドキュメント受信手段であり、図２に示したＣＰＵ１１、ＮＷ  Ｉ／Ｆ１４によってその機能が実現される。なお、ドキュメント受信部２０１により受信した社会興味コンテンツが付加されたドキュメントは、図２に示したＲＯＭ１３やＨＤＤ１５等の記憶部に記憶される。
【００３３】
表示部２０２は、ドキュメント受信部２０１により受信した、あるいはＲＯＭ１３等に記憶されたドキュメントと、該ドキュメントに付加された社会興味コンテンツを社会的な興味度の順で表示する表示手段であり、図２に示したＣＰＵ１１、出力部１７によってその機能が実現される。
【００３４】
コンテンツ入替部２０３は、表示部２０２により社会的な興味度の順で表示された社会興味コンテンツの表示順を個人的な興味度に基づいて入れ替えるコンテンツ入替手段である。これにより、当初社会的な興味度の順で表示された社会興味コンテンツに興味がない場合でも、個人的な興味度に基づいて社会興味コンテンツの表示順を入れ替えることにより、それまで表示されていなかった社会興味コンテンツであって、ユーザの個人的な興味度にそったコンテンツが表示される。このため、ユーザの嗜好に応じたコンテンツを的確なタイミングで表示することができる。
【００３５】
ここで「個人的な興味度」とは、情報処理装置２０を使用するユーザの情報や商品に対する興味度をいう。ユーザの興味度は、例えばあるドキュメントが表示部２０２に表示されているときに、そのドキュメントがユーザによって閲覧される累積時間や、どのドキュメントに付加される広告へのユーザのアクセス数の累積に基づいて判定すればよいが一例であって、これらに限定されない。
【００３６】
また、コンテンツ入替部２０３は、個人的な興味度の高いものから順に社会興味コンテンツの表示順を入れ替える。このようにすれば、よりユーザの興味度が高い社会興味コンテンツから順に入れ替えて表示されるため、ユーザはより早いタイミングで興味度が高いコンテンツを閲覧することが可能となる。
【００３７】
情報処理装置２０は、追加ブロックとして入力受付部２０４をさらに備えてもよい。入力受付部２０４は、ユーザが所望するコンテンツに関連するワードの入力を受け付ける入力受付手段であり、図２に示したＣＰＵ１１、ＲＡＭ１２、ＲＯＭ１３、入力部１６によってその機能が実現される。そして、表示部２０２は、コンテンツ入替部２０３により表示順を入れ替えられた社会興味コンテンツのうち、入力受付部２０４により受け付けられたワードに関連する社会興味コンテンツを優先的に表示することもできる。これにより、ユーザはまさに今閲覧したいと所望する社会興味コンテンツをタイミングよく閲覧することができる。
【００３８】
また、情報処理装置２０は、追加ブロックとしてコンテンツ収集部２０５をさらに備えてもよい。コンテンツ収集部２０５は、個人的な興味度に基づいた個人興味コンテンツを収集するコンテンツ収集手段であり、図２に示したＣＰＵ１１、ＲＡＭ１２、ＲＯＭ１３、ＮＷ  Ｉ／Ｆ１４、ＨＤＤ１５等によりその機能が実現される。そして、コンテンツ入替部２０３は、表示部２０２により表示された社会興味コンテンツのうち何れか１つ以上をコンテンツ収集部２０５により収集された個人興味コンテンツと入れ替えるものとしてもよい。これにより、表示された社会興味コンテンツがユーザの興味と合わないコンテンツであった場合でも、ユーザの興味に合致したコンテンツと入れ替えることができるため、ユーザの満足度を向上させることが可能である。
【００３９】
さらに、コンテンツ入替部２０３は、コンテンツ収集部２０５により個人興味コンテンツが収集された場合、社会興味コンテンツをコンテンツ収集部２０５により収集された個人興味コンテンツと入れ替えてもよい。これにより、例えば個人興味コンテンツが収集されるまでは社会興味コンテンツのうちユーザの興味度が高いものを表示しておき、個人興味コンテンツが収集されたときに個人興味コンテンツと入れ替えることで、ユーザは段階的に自身の興味度の高いコンテンツに切り替わって表示されることになり、ユーザの満足度を向上させることが可能である。
【００４０】
＜本実施形態における広告つきドキュメントの画面表示例について＞
本実施形態における広告つきドキュメントの画面表示例について図４を参照して説明する。画面表示例３００は、一例としてスパイものの映画を紹介するＷｅｂページの表示例である。画面表示例３００には、上からスパイものの映画の１シーンを示す画像３０１、中央に当該映画を紹介する紹介コメント３０２、その下に当該Ｗｅｂページの内容に関連した広告を表示する広告表示欄３１０で構成されている。ここでは、広告表示欄３１０には、社会的な興味度に基づく広告として、ドキュメント受信部２０１によりサーバ１０から受信したドキュメントに付加された関連グッズ広告３１１、関連ＤＶＤ広告３１２、関連グッズ広告３１３が社会興味度の高い順に表示されている。なお、この表示例に限らず、例えば３つの広告を画面の左右何れかの縦長の表示欄に社会興味度の高い順に上から表示等してもよい。
【００４１】
＜本実施形態における広告入替処理について＞
図４に示した画面表示例３００のうち、広告表示欄３１０における広告入替処理について図５を参照して説明する。まず、上段は、図４に示した広告表示欄３１０をデフォルトとした表示であり、表示されている広告は、社会的な興味度が高い順で表示された、関連グッズ広告３１１、関連ＤＶＤ広告３１２、関連グッズ広告３１３である。本実施形態では、情報処理装置２０はサーバ１０から１０件の社会的な興味度に基づく広告を１０件取得しているところ、そのうちの上位３件である関連グッズ広告３１１、関連ＤＶＤ広告３１２、関連グッズ広告３１３が表示されている。この時点では、情報処理装置２０は、個人的な興味度を判定する情報を収集中であるか、収集できていない。あるいは、この時点において、個人な興味度を判定する情報を収集はできていても、社会的な興味度に基づく広告との入替処理途上であってもよい。
【００４２】
中段は、上段で表示されていた社会的な興味度に基づく広告である関連グッズ広告３１３から、個人的な興味度を考慮した社会的な興味度に基づく広告である関連グッズ広告３１４に入れ替えられた表示例を示している。関連グッズ広告３１４は、サーバ１０から取得した１０件の広告のうち、上段では表示されていなかった広告である。例えば、上段で表示されていた関連グッズ広告３１３は、確かに社会的な興味度からすれば画面表示例３００における紹介コメント３０２に含まれるタームに関連するグッズを紹介する広告として上位に表示されるべき広告であるが、この画面を閲覧しているユーザによっては、当該広告はそのユーザの興味がないものであることもある。そのような場合、個人的な興味度を考慮した関連グッズ広告３１４に入れ替えて表示させることで、ユーザ自身の興味ある広告を閲覧することができる。例えば、紹介コメント３０２に「英国」というタームが含まれ、社会的な興味度として世間一般では英国で開催されるイベントが話題になっている場合に、そのイベントのチケット販売を紹介する広告が表示されているとする。しかし、この画面表示例３００を閲覧するユーザが、スパイものの映画に登場する俳優に対する興味度が最も高いとする場合、上記のような当該俳優と何の関係もないイベントのチケット販売を紹介する広告は表示されるだけでも煩わしいか、表示されてもそのユーザには無視されてしまう可能性が高い。このような場合に、このユーザの興味度の高い上記俳優が出演する他の映画に関連するグッズを紹介する広告に入れ替えると、そのユーザは、自身の興味度に基づいた広告を閲覧することができるため、ユーザの満足度を向上させることが可能である。なお、本例では、関連グッズ広告３１４の１件のみを入れ替えているが、社会的興味度の順で表示されている広告全てを個人的興味度を考慮した広告に入れ替えて表示してもよい。
【００４３】
下段は、入力受付部２０４により受け付けられた興味ワードに関連する広告を優先的に表示するように、それまでに表示されていた広告と入れ替えた表示例を示している。ここでは、例えば、ユーザが興味ワードとして上記の俳優の名前を入力部１６を介して入力し、入力受付部２０４により受け付けられた俳優（の名前）に関連する広告として、その俳優に関連する関連本を紹介する広告３１５、その俳優が主演する映画のＤＶＤコレクションを紹介する広告３１６、その俳優がプロデュースするグッズを紹介する広告３１７にコンテンツ入替部２０３により入れ替えられて表示されている。これらの広告３１５〜３１７もサーバ１０から取得した１０件であるが、上段および中段においては社会的な興味度等が優先されて選択された広告が表示されていたため、表示されていなかった広告である。このようにすれば、ユーザは興味ある俳優に関連する広告をその俳優が出演する映画の紹介ドキュメントと共に閲覧することができるため、ユーザーの満足度を向上させることが可能である。
【００４４】
＜本実施形態における処理手順について＞
本実施形態における処理手順について図６を参照して説明する。まず、サーバ１０において、ドキュメント分析部１０１が、ネットワーク等を介して取得したドキュメントから社会的な興味度を分析する（ステップＳ１）。
【００４５】
次に、コンテンツ付加部１０２は、ドキュメント分析部１０１により分析された社会的な興味度に基づいて、社会興味コンテンツをネットワークを介して取得し、ドキュメントに付加する（ステップＳ２）。なお、本実施形態では、付加する社会興味コンテンツは１０件とするが、１０件以上であってもよく、要するに、当初社会的な興味度順で表示される広告の表示数より多い広告を付加または取得できればよい。
【００４６】
そして、ドキュメント送信部１０３は、社会興味コンテンツが付加されたドキュメントを情報処理装置２０に送信する（ステップＳ３）。なお、このとき社会興味コンテンツはドキュメントに付加して同時に送信されることは必ずしも要せず、通信状況に応じてドキュメントの送信後に順次送信されることとしてもよい。
【００４７】
次に、情報処理装置２０において、ドキュメント受信部２０１は、社会興味コンテンツが付加されたドキュメントを受信する（ステップＳ４）。受信されたドキュメントは、ＲＯＭ１３等の記憶部に記憶される。
【００４８】
表示部２０２は、受信した、あるいはＲＯＭ１３等の記憶部に記憶されたドキュメントに付加された社会興味コンテンツを社会的な興味度順で表示する（ステップＳ５）。
【００４９】
コンテンツ入替部２０３は、表示部２０２により社会的な興味度順で表示されている社会興味コンテンツの表示順を個人的な興味度に基づいて入れ替える（ステップＳ８）。なお、情報処理装置２０において、個人的な興味度を判定するための情報が収集されたタイミングで入替処理を行えば、ユーザはより早く個人的な興味度に合致した広告を閲覧することができる。
【００５０】
＜本実施形態における他の処理手順について＞
本実施形態における他の処理手順について図７を参照して説明する。なお、図６で示した上記処理手順と重複する手順については説明を省略する。すなわち、本手順ではステップＳ５以降の処理が図６で示した上記処理手順と異なっている。
【００５１】
表示部２０２により社会的な興味度順で社会興味コンテンツが表示された（ステップＳ５）後、情報処理装置２０は、コンテンツ収集部２０５により個人興味コンテンツが収集されたか否かを判定する（ステップＳ７）。
【００５２】
コンテンツ収集部２０５により個人興味コンテンツが収集された場合（ステップＳ７、ＹＥＳ）、コンテンツ入替部２０３は、それまで表示されていた社会興味コンテンツのうちの何れか１つ以上と、収集された個人興味コンテンツとを入れ替える（ステップＳ８）。このとき、コンテンツ入替部２０３は、個人的な興味度と合致しないか、個人的な興味度とは離れた社会興味コンテンツを入替対象とすることが好ましい。なお、本手順は一例であって、図６のステップＳ６以降の処理として、ステップＳ７以降の処理を加え、社会興味コンテンツの表示順が個人的興味度に基づいて入れ替えられた後、さらに個人興味コンテンツが収集された場合に、社会興味コンテンツとの入替処理を行うこととしてもよい。
【００５３】
なお、上述する各実施の形態は、本発明の好適な実施の形態であり、本発明の要旨を逸脱しない範囲内において種々変更実施が可能である。例えば、上述した本実施形態のコンテンツ推薦システム、該システムを構成するサーバ、又は情報処理装置における各処理を、ハードウェア、又は、ソフトウェア、あるいは、両者の複合構成を用いて実行することも可能である。
【００５４】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００５５】
また、上述した本実施形態の説明においては、サーバからインターネット等のネットワークを介してコンテンツが付加されたドキュメントを取得する形態を中心として説明したが、本発明は次のようなシステムにも適用可能である。例えば、ユーザが所有する情報処理機能を有するデジタルテレビと、これに接続されたデジタル放送局の端末で構成されるシステムにも本発明は適用可能である。すなわち、ユーザがあるテレビ番組を視聴する場合に、当該テレビ番組の放送波と共に配信されるデータ内のタームから社会的な興味度を分析し、分析に基づいた社会興味コンテンツを放送波と共に配信して社会的興味度の順で表示しておき、その後個人的な興味度に応じて社会興味コンテンツの表示順を入れ替えてテレビ番組と共に表示するという利用シーンにも適用することが可能である。
【００５６】
また、ユーザごとに例えばＮＦＣ等の近距離無線通信が可能な端末を所持させ、情報処理装置２０が近距離無線通信を介して認証された特定のユーザの情報を個人興味度を判定する情報として取得してもよい。特定のユーザの情報としては、例えばユーザの趣味、出身地、血液型、職業等がある。これにより、ユーザは、興味ワードを入力する必要がなくなるため、ユーザの満足度を向上させることが可能である。
【符号の説明】
【００５７】
１    コンテンツ推薦システム
１０    サーバ
１１    ＣＰＵ
１２    ＲＡＭ
１３    ＲＯＭ
１４    ＮＷ  Ｉ／Ｆ
１５    ＨＤＤ
１６    入力部
１７    出力部
２０    情報処理装置
３０    ネットワーク
１０１    ドキュメント分析部
１０２    コンテンツ付加部
１０３    ドキュメント送信部
２０１    ドキュメント受信部
２０２    表示部
２０３    コンテンツ入替部
２０４    入力受付部
２０５    コンテンツ収集部
【図１】
0006262272.tif 000002
【図２】
0006262272.tif 000003
【図３】
0006262272.tif 000004
【図４】
0006262272.tif 000005
【図５】
0006262272.tif 000006
【図６】
0006262272.tif 000007
【図７】
0006262272.tif 000008